(57)【要約】【課題】光ピックアップ装置の光源の熱を十分に奪い、温度上昇を抑制して安定した動作をする薄型の光ディスク装置を提供することを目的とする。【解決手段】光ディスク３０に対して対物レンズ２２を介してレーザ光を照射する光源２１を有する光ピックアップ装置１８と、光ピックアップ装置１８を光ディスク３０の半径方向に移動自在に支持するベース１２と、光ピックアップ装置１８を覆い対物レンズ２２を光ディスク３０に対して露出させる開口部２０ａを有するカバー２０と、を備え、カバー２０は、光ディスク３０の回転に伴って発生する風Ｗを光ピックアップ装置１８内の光源２１に向けて導入する複数の長孔２０ｂを有し、光ピックアップ装置１８が光ディスク３０の内周側から外周側へ移動する方向と長孔の長軸とが成す鋭角は、内周側程小さい光ディスク装置とした。【選択図】図２
2008097662.tif 000002
【特許請求の範囲】
【請求項１】
光ディスクに対して対物レンズを介してレーザ光を照射する光源を有する光ピックアップ装置と、
前記光ピックアップ装置を前記光ディスクの半径方向に移動自在に支持するベースと、
前記光ピックアップ装置を覆い前記対物レンズを前記光ディスクに対して露出させる開口部を有するカバーと、を備え、
前記カバーは、前記光ディスクの回転に伴って発生する風を前記光ピックアップ装置内の光源に向けて導入する複数の長孔を有し、
前記光ピックアップ装置が前記光ディスクの内周側から外周側へ移動する方向と前記長孔の長軸とが成す鋭角は、前記内周側程小さいことを特徴とする光ディスク装置。
【請求項２】
前記長孔の長軸方向は、前記風の方向とほぼ一致することを特徴とする請求項１記載の光ディスク装置。
【請求項３】
前記長孔の長軸方向は、前記長孔が設けられた位置における前記光ディスクの回転方向とほぼ一致することを特徴とする請求項１記載の光ディスク装置。
【請求項４】
前記光ピックアップ装置は前記長孔の下流側に前記光源を有することを特徴とする請求項１記載の光ディスク装置。
【請求項５】
前記複数の長孔は、前記光ピックアップ装置の移動方向とほぼ同じ方向に配列されたことを特徴とする請求項４記載の光ディスク装置。
【請求項６】
前記光源には前記レーザ光を発生するための駆動電源を含むことを特徴とする請求項１記載の光ピックアップ装置。
【請求項７】
前記長孔は、少なくとも前記光ディスクの半径の半分から外周側に設けられたことを特徴とする請求項１記載の光ディスク装置。
【請求項８】
前記カバーの開口部よりも前記風の上流側に前記長孔が設けられたことを特徴とする請求項１記載の光ピックアップ装置。
【請求項９】
前記カバーの開口部よりも前記風の下流側に貫通孔が設けられたことを特徴とする請求項１記載の光ディスク装置。
【請求項１０】
前記長孔の幅は０．５ｍｍ以上２．０ｍｍ以下であるとともに前記長孔は前記長孔の幅のほぼ２倍以上の間隔で配置されたことを特徴とする請求項１記載の光ディスク装置。
【請求項１１】
前記長孔の長さは、前記長孔の幅のほぼ２倍以上であることを特徴とする請求項１記載の光ディスク装置。
【請求項１２】
前記長孔の長軸方向は、前記長孔が設けられた位置における前記光ディスクの回転方向に対して外向きに所定の角度を有した方向であり、外周側の前記長孔ほど前記所定の角度が大きいことを特徴とする請求項１記載の光ディスク装置。
【発明の詳細な説明】
【技術分野】
【０００１】
本発明は、パーソナルコンピュータ、ノートブック型コンピュータ等の電子機器に搭載される光ディスク装置に関するものである。
【背景技術】
【０００２】
図８（ａ）は従来の光ピックアップモジュールの上面図、図８（ｂ）はカバーを除いた従来の光ピックアップモジュールの上面図である。図８において、光ディスク１２０を回転駆動する回転駆動部及び光ピックアップ装置１０８を回転駆動部に対して近づけたり離したりする移動部を備える光ディスク装置の駆動機構を光ピックアップモジュール１０１という。ベース１０２は光ピックアップモジュール１０１の骨組みを成すもので、光ピックアップモジュール１０１はベース１０２に直接または間接に各構成部品が配置されて構成される。
【０００３】
回転駆動部は光ディスク１２０を載置するターンテーブル１０３ａを有するスピンドルモータ１０３を備えている。スピンドルモータ１０３はベース１０２に固定される。スピンドルモータ１０３は光ディスク１２０を回転させる回転駆動力を生成する。
【０００４】
移動部はフィードモータ１０４、スクリューシャフト１０５、ガイド軸１０６、１０７を備えている。フィードモータ１０４はベース１０２に固定される。フィードモータ１０４は光ピックアップ装置１０８が光ディスク１２０の内周と外周の間を移動するために必要な回転駆動力を生成する。スクリューシャフト１０５はらせん状に溝が掘られており、直接または数段のギアを介してフィードモータ１０４に接続される。ガイド軸１０６、１０７はそれぞれ両端で保持部材を介してベース１０２に固定される。ガイド軸１０６、１０７は光ピックアップ装置１０８を移動自在に支持する。光ピックアップ装置１０８はスクリューシャフト１０５の溝と噛み合うガイド歯を有するラック１０９を備える。ラック１０９がスクリューシャフト１０５に伝達されたフィードモータ１０４の回転駆動力を直線駆動力に変換するために光ピックアップ装置１０８は光ディスク１２０の内周と外周の間を移動することができる。
【０００５】
光ピックアップ装置１０８は、光ディスク１２０に対して対物レンズ１１２を介してレーザ光を照射する光源１１１を有する。光ピックアップ装置１０８の対物レンズ１１２から照射されるレーザ光が光ディスク１２０に対し直角に入射するように、保持部材を構成する調整機構でガイド軸１０６、１０７の傾きを調整する。
【０００６】
カバー１１０は、光ピックアップモジュール１０１のほぼ全体を覆い、光ピックアップモジュール１０１を保護する。しかし、カバー１１０は、開口１１０ａを有しており、光ピックアップ装置１０８の対物レンズ１１２及びスピンドルモータ１０３のターンテーブル１０３ａを光ディスク１２０に対して露出させる。
【０００７】
（特許文献１）の図面には、カバー１１０の開口１１０ａの他に開口１１０ａに沿って複数の長孔が設けられていることが示唆されている。長孔の長軸方向はほぼ開口１１０ａの長手方向に直角な方向であり、光ピックアップ装置１０８が移動する方向に対して直角な方向である。
【特許文献１】特開２００５−１８２９６２号公報
【発明の開示】
【発明が解決しようとする課題】
【０００８】
光源は、光ディスクに向けてレーザ光を出射する際に発熱する。特に光ディスクに情報を記録する場合に高出力でレーザ光を出射するため、発熱量が大きい。さらに、光ディスクの外周部に行くほど光ディスクの周速が増すために高出力のレーザ光が要求され、光ディスクの外周ほど光源の発熱量は大きくなる。光源は、発熱量が増し、自身の温度が上昇して限度を越えると、暴走をしたり、寿命が短くなったりする。
【０００９】
そこで、（特許文献１）に示すように、光ピックアップモジュールのカバーに孔を設け、光ディスクの回転に伴って発生する風を光ピックアップ装置に導入して光源で発生する熱を奪って温度を下げることが行われる。
【００１０】
ところが、光ディスク装置が薄くなると、光ディスクの回転による風が孔を通って光ピックアップ装置に向かいにくくなり、光源の温度を下げることが困難になってきた。
【００１１】
本発明は、上記従来の課題を解決するもので、光ピックアップ装置の光源の熱を十分に奪い、温度上昇を抑制して安定した動作をする薄型の光ディスク装置を提供することを目的とする。
【課題を解決するための手段】
【００１２】
上記目的を達成するために、本発明の光ディスク装置においては、光ディスクに対して対物レンズを介してレーザ光を照射する光源を有する光ピックアップ装置と、前記光ピックアップ装置を前記光ディスクの半径方向に移動自在に支持するベースと、前記光ピックアップ装置を覆い前記対物レンズを前記光ディスクに対して露出させる開口部を有するカバーと、を備え、前記カバーは、前記光ディスクの回転に伴って発生する風を前記光ピックアップ装置内の光源に向けて導入する複数の長孔を有し、前記光ピックアップ装置が前記光ディスクの内周側から外周側へ移動する方向と前記長孔の長軸とが成す鋭角は、前記内周側程小さいことを特徴とする。
【００１３】
風は光ディスクの回転方向からやや外側に向かって流れる。長孔の設けられる位置における光ディスクの回転方向と光ピックアップ装置が光ディスクの内周側から外周側へ移動する方向とが成す鋭角は内周側程小さい。長孔の長軸方向を風の流れに逆らわない方向に設けることで、風はカバーの下面側にスムーズに流れ込む。そして光ピックアップ装置の発熱源である光源の周辺に導入される。そのため、薄型であっても、光源の熱が奪われ、温度上昇を抑制することができる。
【発明の効果】
【００１４】
本発明の光ディスク装置は、薄型であっても光ピックアップ装置の光源の熱を十分に奪い、温度上昇を抑制することができる。そのため、安定した動作をすることができる。
【発明を実施するための最良の形態】
【００１５】
本発明の請求項１の発明は、光ディスクに対して対物レンズを介してレーザ光を照射する光源を有する光ピックアップ装置と、光ピックアップ装置を光ディスクの半径方向に移動自在に支持するベースと、光ピックアップ装置を覆い対物レンズを光ディスクに対して露出させる開口部を有するカバーと、を備え、カバーは、光ディスクの回転に伴って発生する風を光ピックアップ装置内の光源に向けて導入する複数の長孔を有し、光ピックアップ装置が光ディスクの内周側から外周側へ移動する方向と長孔の長軸とが成す鋭角は、内周側程小さい光ディスク装置である。
【００１６】
風は光ディスクの回転方向からやや外側に向かって流れる。長孔の設けられる位置における光ディスクの回転方向と光ピックアップ装置が光ディスクの内周側から外周側へ移動する方向とが成す鋭角は内周側程小さい。長孔の長軸方向を風の流れに逆らわない方向に設けることで、風はカバーの下面側にスムーズに流れ込む。そして光ピックアップ装置の発熱源である光源の周辺に導入される。そのため、薄型であっても、光源の熱が奪われ、温度上昇を抑制することができる。
【００１７】
請求項２の発明は、請求項１の発明において、長孔の長軸方向は、風の方向とほぼ一致する光ディスク装置である。
【００１８】
風の流れが長孔周辺部で最も乱されにくく、風がスムーズに長孔からカバーの下面側に流れ込む。
【００１９】
請求項３の発明は、請求項１の発明において、長孔の長軸方向は、長孔が設けられた位置における光ディスクの回転方向とほぼ一致する光ディスク装置である。
【００２０】
長孔が配置された位置での光ディスクの回転方向は計算で容易に導き出すことができる。そのため、長孔の長軸の方向を容易に決定することができる。
【００２１】
請求項４の発明は、請求項１の発明において、光ピックアップ装置は長孔の下流側に光源を有する光ディスク装置である。
【００２２】
長孔の下流側に発熱源である光源を配置することで、光源の周囲に多くの風を送ることができ、効率良く光源で発生する熱を奪うことができる。そのため、光源の温度上昇を抑制することができる。
【００２３】
請求項５の発明は、請求項４の発明において、複数の長孔は、光ピックアップ装置の移動方向とほぼ同じ方向に配列された光ディスク装置である。
【００２４】
長孔から光源までの距離がどの長孔でもほぼ同じになるので安定して光源から熱を奪うことができる。
【００２５】
請求項６の発明は、請求項１の発明において、光源にはレーザ光を発生するための駆動電源を含む光ディスク装置である。
【００２６】
駆動電源も熱を発生し、温度が上がることで動作が不安定になったりする。駆動電源の温度の上昇も抑制できるので光ディスク装置の動作を安定させることができる。
【００２７】
請求項７の発明は、請求項１の発明において、長孔は、少なくとも光ディスクの半径の半分から外周側に設けられた光ディスク装置である。
【００２８】
光源は光ピックアップ装置が外周側に行くほど、光ディスクが高い線速度で回転するため、高い出力が要求される。そのため、外周側ほど温度が上がりやすい。したがって、少なくとも外周側で、長孔を設けて光源の熱を奪うことで、より厳しい光源の温度上昇を抑制することができる。
【００２９】
請求項８の発明は、請求項１の発明において、カバーの開口部よりも風の上流側に長孔が設けられた光ピックアップ装置である。
【００３０】
長孔より導入された風は排出されなければならない。風の上流側は、カバーの下面側の圧力が高くないので、カバーの下面側に風を導入しやすい。
【００３１】
請求項９の発明は、請求項１の発明において、カバーの開口部よりも風の下流側に貫通孔が設けられた光ディスク装置である。
【００３２】
カバーの下面側に入った風が貫通孔を通って上面側に戻ることができ、カバーの下面側の圧力が高くなりにくい。そのため、長孔から風がよりカバーの下面側に入り込みやすくなる。
【００３３】
請求項１０の発明は、請求項１の発明において、長孔の幅は０．５ｍｍ以上２．０ｍｍ以下であるとともに長孔は長孔の幅のほぼ２倍以上の間隔で配置された光ディスク装置である。
【００３４】
風をカバーの下面側にスムーズに導入できるとともに、光ディスク装置が薄くなって、カバーの厚さが薄くなっても剛性を保つことができる。
【００３５】
請求項１１の発明は、請求項１の発明において、長孔の長さは、長孔の幅のほぼ２倍以上である光ディスク装置である。
【００３６】
長孔は長さが短いと、風がカバーの下面側にスムーズに導入されない。長孔の長さを幅のほぼ２倍以上とすることで、よりスムーズに風をカバーの下面側に導入することができる。
【００３７】
請求項１２の発明は、請求項１の発明において、長孔の長軸方向は、長孔が設けられた位置における光ディスクの回転方向に対して外向きに所定の角度を有した方向であり、外周側の長孔ほど所定の角度が大きい光ディスク装置である。
【００３８】
長孔が配置された位置での光ディスクの回転方向は計算で容易に導き出すことができる。そのため、長孔の長軸の方向を容易に決定することができる。また、風の方向は外周側ほど光ディスクの回転方向から外周側に向く。長孔の長軸方向を光ディスクの回転方向とほぼ一致させるよりもより風の方向に近づけることができるので、風の流れが長孔周辺部でより乱されにくく、風がスムーズに長孔からカバーの下面側に流れ込む。
【００３９】
（実施の形態１）
本実施の形態１について図面を参照しながら説明する。図１は本実施の形態１の光ディスク装置の外観図である。
【００４０】
光ディスク装置１の構成は、以下の通りである。筐体２は上部筐体２ａと下部筐体２ｂを組み合わせてネジなどを用いて互いに固定して構成されている。トレイ３は筐体２に出没自在に設けられている。トレイ３は光ピックアップモジュール１１を下面側から配置する。光ピックアップモジュール１１は光ディスク３０を回転駆動する回転駆動部及び光ピックアップ装置１８を回転駆動部に対して近づけたり離したりする移動部を備える光ディスク装置１の駆動機構である。光ピックアップ装置１８は、光ディスク３０に対物レンズ２２からレーザ光を照射して、光ディスク３０に対して情報を記録したり、光ディスク３０の情報を再生したりする。光ピックアップモジュール１１はカバー２０に覆われ、対物レンズ２２及び回転駆動部であるスピンドルモータ１３のターンテーブル１３ａが光ディスク３０に対して露出される。
【００４１】
ベゼル４はトレイ３の前端面に設けられて、トレイ３が筐体２内に収納された時にトレイ３の出没口を塞ぐように構成されている。ベゼル４にはイジェクトスイッチ５が設けられ、イジェクトスイッチ５を押すことで、筐体２とトレイ３との係合が解除され、トレイ３は筐体２に対し出没が可能な状態となる。レール６はそれぞれトレイ３の両側部及び筐体２の双方に摺動自在に取り付けられる。筐体２内部やトレイ３内部には図示していない回路基板があり、信号処理系のＩＣや電源回路などが搭載されている。外部コネクタ７はコンピュータ等の電子機器に設けられた電源／信号ラインと接続される。そして、外部コネクタ７を介して光ディスク装置１内に電力を供給したり、あるいは外部からの電気信号を光ディスク装置１内に導いたり、あるいは光ディスク装置１で生成された電気信号を外部の電子機器などに送出する。
【００４２】
図２（ａ）は本実施の形態１の光ピックアップモジュールの上面図、図２（ｂ）はカバーを外した光ピックアップモジュールの上面図である。ベース１２は光ピックアップモジュール１１の骨組みを成すもので、光ピックアップモジュール１１はベース１２に直接または間接に各構成部品が配置されて構成される。
【００４３】
回転駆動部は光ディスク３０を載置するターンテーブル１３ａを有するスピンドルモータ１３を備えている。スピンドルモータ１３はベース１２に固定される。スピンドルモータ１３は矢印Ｐの向きに光ディスク３０を回転させる回転駆動力を生成する。光ディスク３０が回転することによって周りの空気が引っ張られて風Ｗが発生する。風Ｗは光ディスク３０の回転方向よりもやや外向きに流れる。外向きの程度は光ディスク３０の外周側の方がより外向きとなる。風Ｗはカバー２０の上面側を流れ長孔２０ｂからカバー２０の下面側にも流れ込む。
【００４４】
移動部はフィードモータ１４、スクリューシャフト１５、ガイド軸１６、１７を備えている。フィードモータ１４はベース１２に固定される。フィードモータ１４は光ピックアップ装置１８が光ディスク３０の内周と外周の間を移動するために必要な回転駆動力を生成する。フィードモータ１４としてステッピングモータ、ＤＣモータなどが使用される。スクリューシャフト１５はらせん状に溝が掘られており、直接または数段のギアを介してフィードモータ１４に接続される。本実施の形態１ではギアを介してフィードモータ１４と接続される。ガイド軸１６、１７はそれぞれ両端で保持部材を介してベース１２に固定される。ガイド軸１６、１７は光ピックアップ装置１８を移動自在に支持する。光ピックアップ装置１８はスクリューシャフト１５の溝と噛み合うガイド歯を有するラック１９を備える。ラック１９がスクリューシャフト１５に伝達されたフィードモータ１４の回転駆動力を直線駆動力に変換するために光ピックアップ装置１８は光ディスク３０の内周と外周の間を移動することができる。
【００４５】
図３は本実施の形態１のカバーの上面図である。カバー２０は薄い金属板であり、光ピックアップ装置１８を含む光ピックアップモジュール１１の表面を覆う。強度が確保できれば、樹脂等で作製しても構わない。カバー２０は光ディスク３０の半径方向に長い開口部２０ａを有し、光ピックアップ装置１８の対物レンズ２２及びスピンドルモータ１３のターンテーブル１３ａを露出させる。
【００４６】
開口部２０ａの風Ｗの上流側に複数の長孔２０ｂを設けた。本実施の形態１において長孔２０ｂは３個としたが、２個でも構わないし、後述するように４個以上でも構わない。長孔２０ｂの長軸の方向は、風Ｗの方向とほぼ一致する方向とした。長孔２０ｂの形状は平行四辺形の角を丸めた形状とした。しかし、その形状である必要はなく、楕円形や向かい合う半円弧を２本の平行な線で結んだ形状、下流側に向かって広がる角丸三角形等でも構わない。また、角を丸めなくても良い。また、長孔２０ｂの長さは幅のほぼ２倍以上となるようにした。また、長孔２０ｂは光ピックアップ装置１８の移動方向とほぼ同じ方向に配列されている。すなわち、光ディスク３０の中心Ｏと、光ピックアップ装置１８の移動方向に伸ばした線と長孔２０ｂの長軸方向の延長線との交点Ｂと、を結ぶ線ＯＢにほぼ平行に配列される。さらに、長孔２０ｂは少なくとも光ディスク３０の半径の半分から外側に設けられている。また、長孔２０ｂの幅は０．５ｍｍ以上２．０ｍｍ以下となるようにし、さらに長孔２０ｂの間隔は幅のほぼ２倍以上となるようにした。
【００４７】
本実施の形態１において、長孔２０ｂの基準の点Ａと中心Ｏと点Ｂとが作る三角形ＡＯＢの∠ＯＡＢは、長孔２０ｂの長軸方向を風Ｗの方向に合わせているため鈍角である。したがって、∠ＡＢＯは鋭角となる。また、鋭角は内周側の長孔２０ｂほど小さいものとなる。
【００４８】
また、開口部２０ａの風Ｗの下流側に複数の貫通孔２０ｃを設けた。貫通孔２０ｃを設けないと、カバー２０の下面側に流れ込んだ風Ｗの逃げ場がなくなり、下面側の圧力が高まって、長孔２０ｂから風Ｗが下面側に流れ込みにくくなる。図２に示すように貫通孔２０ｃを設けることで、カバー２０の下面側に流れ込んだ風Ｗを上面側に逃がすことができるので、長孔２０ｂからスムーズに風Ｗをカバー２０の上面側から下面側へ流すことができる。貫通孔２０ｃは風Ｗを下面側から上面側へ逃がす役割であるので、貫通孔２０ｃの形状には特に制限はなく、本実施の形態１では角丸四角形としたが、円形、楕円形、多角形等でも構わない。また、数量についても制限はない。
【００４９】
図４は本実施の形態１の光ピックアップ装置の外観図である。主要部が見えるようにピックアップカバー２３の一部を外し、それを破線で示した。光ピックアップ装置１８は基台２４に直接または間接に各構成部品が配置されて構成される。基台２４は光ピックアップ装置１８の骨組みを成すものである。
【００５０】
光源２１は、光ディスク３０に向けて照射するレーザ光を発するレーザ素子２１ａを有する。光源２１はリード２１ｂを通して外部から電流を流し、レーザ素子２１ａに通電して発光させる。レーザ素子２１ａは光ディスク３０に対する情報を記録したり、光ディスク３０に記録された情報を再生したりする際に必要な出力でレーザ光を発する。レーザ光は情報を記録する場合の方がより高い出力が要求され、光ディスク３０の内周側よりも外周側の方が周速が速い分だけ、高い出力が要求される。レーザ素子２１ａはレーザ光を発する際、熱を発生し、その熱は高い出力で発光すればするほど多く発する。光源２１が本実施の形態１における光ピックアップ装置１８の中で最も発熱量が多い発熱源である。
【００５１】
このように、光源２１は、光ピックアップ装置１８の中でも最も温度が上がりやすい。また、温度が上がることで動作が不安定になったり、出射するレーザ光の波長がずれて光ディスク３０に対する情報の記録や再生の特性に変化を起こしたりしやすい。本実施の形態１の構成とすることで、その光源２１の温度上昇を抑制することができるので、光源２１の動作及び記録や再生の特性が安定する。
【００５２】
光源２１は他の熱伝導性の良い結合部材２５を介して基台２４の側面側から固定される。光源２１と結合部材２５とは溶着等で固定されるため、光源２１で発生した熱は結合部材２５にまで良く伝わる。本実施の形態１の光源２１が配置される位置は、図２における開口部２０ａと長孔２０ｂとの間のカバー２０の下面側である。すなわち光源２１は長孔２０ｂに対して風Ｗの下流側に配置される。
【００５３】
対物レンズ２２は、光源２１から出射されたレーザ光を光ディスク３０上で集光させるためのレンズである。対物レンズ２２は対物レンズ駆動装置２６に配置されフォーカス方向またはトラッキング方向に駆動され、光ディスク３０の情報トラック上で常に焦点を結ぶように制御される。対物レンズ駆動装置２６は基台２４に固定される。
【００５４】
図５は図１のＸ−Ｘ断面図であり、風Ｗの流れを示す図である。図２及び図５において、矢印Ｐの方向に光ディスク３０が回転すると、光ディスク装置１内の空気は光ディスク３０の回転に引きずられるため、風Ｗが発生する。風Ｗは遠心力が働くため、光ディスク３０の回転方向からやや外側に向かって流れ、外周部ほどそれが顕著である。
【００５５】
光ディスク３０とカバー２０との間に流れる風Ｗは長孔２０ｂからカバー２０の下面側へ流れ込み、下部筐体２ｂとの間を流れる。カバー２０の下面側へ流れ込んだ風Ｗは、光ピックアップ装置１８の側面部分を通る。その際、風Ｗは光源２１のリード２１ｂを含む本体部分や結合部材２５にも導入されて、熱を奪う。風Ｗはそのままカバー２０の下面側を流れ、開口部２０ａの部分では光ディスク３０と下部筐体２ｂとの間を流れ、さらにカバー２０と下部筐体２ｂとの間を流れて、貫通孔２０ｃからカバー２０の上面側へ戻る。
【００５６】
光ピックアップ装置１８が光ディスク３０の半径方向に移動する方向に対して長軸の方向が直角になるように長孔２０ｂを設けた場合、長孔２０ｂを設けない場合に対して、風Ｗによる光源２１の温度低減効果は約０．３℃程度であった。本実施の形態１の長孔２０ｂの場合、温度低減効果は約１．７℃にもなった。通常、光源２１の温度は、あと１℃だけは下げたい等という場合が多く、約１．７℃の温度低減は効果が非常に大きい。そのため、長孔２０ｂから浸入した風Ｗによって熱を奪われた光源２１は温度上昇が抑制されるため、安定した動作が得られる。
【００５７】
また、その際、発熱源すなわち光源２１は長孔２０ｂの下流側に設けられることが望ましい。長孔２０ｂの下流側に光源２１を配置することで、光源２１の周囲に多くの風Ｗを送ることができ、効率良く光源２１で発生する熱を奪うことができる。そのため、光源２１の温度上昇を効果的に抑制することができる。
【００５８】
長孔２０ｂは間隔を空けて配置しているが、光ピックアップ装置１８の半径方向の位置による温度低減効果の斑は十分に小さい。これは、光ピックアップ装置１８よりも内周側に長孔２０ｂが存在すれば、風Ｗはカバー２０の下面側で拡散し、光ピックアップ装置１８上の光源２１に風Ｗが当たるためである。
【００５９】
風Ｗは光ディスク３０の回転方向からやや外側に向かって流れる。長孔２０ｂの設けられる位置における光ディスク３０の回転方向と光ピックアップ装置１８が光ディスク３０の内周側から外周側へ移動する方向とが成す鋭角は内周側程小さい。長孔２０ｂの長軸方向と光ディスク３０の回転方向と光ピックアップ装置１８が光ディスク３０の内周側から外周側へ移動する方向とが成す鋭角も内周側程小さくなるように構成した。よって、長孔２０ｂの長軸方向を風Ｗの流れに逆らわない方向に設けることになる。そのため、風Ｗはカバー２０の下面側にスムーズに流れ込む。特に本実施の形態１において、長孔２０ｂの長軸方向は風Ｗの方向とほぼ一致するようにした。そのため、風Ｗの流れが長孔２０ｂ周辺部で最も乱されにくく、風Ｗはカバー２０の下面側によりスムーズに流れ込む。そして光ピックアップ装置１８の発熱源である光源２１の周辺に導入される。そのため、薄型であっても、光源２１の熱が奪われ、温度上昇を抑制することができる。
【００６０】
長孔２０ｂは、カバー２０の開口部２０ａよりも風Ｗの上流側に設けた。長孔２０ｂより導入された風Ｗは排出されなければならない。風Ｗの上流側は、カバー２０の下面側の圧力が高くないので、カバー２０の下面側に風Ｗを導入しやすいためである。そうなるように、本実施の形態１において、発熱源である光源２１を開口部２０ａよりも風Ｗの上流側となるように設計した。
【００６１】
また、長孔２０ｂの長さは幅のほぼ２倍以上となるようにした。長孔２０ｂは長軸方向の長さが短いと、風Ｗがカバー２０の下面側にスムーズに導入されない。長孔２０ｂの長さを幅のほぼ２倍以上とすることで、よりスムーズに風Ｗをカバー２０の下面側に導入することができる。
【００６２】
また、長孔２０ｂは光ピックアップ装置１８の移動方向と同じ方向に配列されている。長孔２０ｂから発熱源である光源２１までの距離がどの長孔２０ｂでもほぼ同じになるので安定して光源２１から熱を奪うことができる。
【００６３】
また、長孔２０ｂは少なくとも光ディスク３０の半径の半分から外周側に設けられている。光源２１は光ピックアップ装置１８が外周側に行くほど、光ディスク３０が高い線速度で回転するため、高い出力が要求される。そのため、外周側ほど温度が上がりやすい。したがって、少なくとも外周側で、長孔２０ｂを設けて光源２１の熱を効果的に奪うことで、より厳しい条件における光源２１の温度上昇を抑制することができる。
【００６４】
また、長孔２０ｂの幅は０．５ｍｍ以上２．０ｍｍ以下となるようにし、さらに長孔２０ｂの間隔は幅のほぼ２倍以上となるようにした。長孔２０ｂの幅が０．５ｍｍ以上あれば風Ｗをカバー２０の下面側にスムーズに導入できる。長孔２０ｂの幅を１．５ｍｍ以上とすると、風Ｗをカバー２０の下面側に大量に導入することができるため非常に好ましい。また、長孔２０ｂの幅を２．０ｍｍ以下として、長孔２０ｂの間隔を幅のほぼ２倍以上とすることで、光ディスク装置１が薄くなって、カバー２０の厚さが薄くなっても剛性を保つことができる。
【００６５】
本実施の形態１において、長孔２０ｂの長軸方向は風Ｗの方向とほぼ一致するようにした。風Ｗの方向は光ディスク３０の回転方向からやや外側に向かって流れ、その程度は外周側ほど顕著である。そのため、長孔２０ｂの長軸方向は、長孔２０ｂが設けられた位置における光ディスク３０の回転方向に対して外向きに所定の角度を有した方向であり、外周側の長孔２０ｂほど所定の角度は大きい。また、風Ｗの方向はシミュレーションで計算したり、実測したりして導出し、長孔２０ｂの長軸方向はその方向にほぼ一致させる。
【００６６】
しかし、簡易的に以下のようにしても良い。すなわち、長孔２０ｂの長軸方向は、風Ｗの方向を導出することなく、長孔２０ｂが設けられた位置における光ディスク３０の回転方向に対して外向きに所定の角度を有した方向とし、外周側の長孔２０ｂほど所定の角度は適切に大きくなるように設定する。長孔２０ｂが配置された位置での光ディスク３０の回転方向は計算で容易に導き出すことができる。そのため、風Ｗの方向を正確に導出しなくても、長孔２０ｂの長軸の方向を容易に決定することができる。そして、長孔２０ｂの長軸方向を光ディスク３０の回転方向とほぼ一致させるよりもより風Ｗの方向に近づけることができるので、風Ｗの流れが長孔２０ｂ周辺部でより乱されにくく、風Ｗがスムーズに長孔２０ｂからカバー２０の下面側に流れ込む。
【００６７】
なお、本実施の形態１において、長孔２０ｂは光ディスク３０の内周側に１個、外周側に２個を設けた。これは、カバー２０をベース１２にネジ留めする際の孔を確保するためであり、３個を連続して設けても構わないし、ネジ留めする際の孔を他に確保できれば、４個の長孔２０ｂを設けても構わない。
【００６８】
また、本実施の形態１において、長孔２０ｂは３個設けたが、前述のようにそれ以上設けても構わない。図６は本実施の形態１の長孔を多く設けたカバーの外観図である。図３に示すカバー２０に対して、長孔２０ｂの幅と間隔を狭くして、長孔２０ｂの個数を５個に増やしている。光ピックアップ装置１８の移動に対して、よりきめの細かい長孔２０ｂの配置となるため、光源２１の温度低減の効果の斑をより抑制することができる。
【００６９】
図７は、本実施の形態１の長孔の長軸の方向を光ディスクの回転方向に一致させたカバーの外観図である。本実施の形態１において、長孔２０ｂの長軸の方向は、風Ｗの方向とほぼ一致するようにした。しかし、風Ｗの方向はシミュレーションで計算したり、実測したりする等して求める必要があり、簡単には求めることができない。図７において、長孔２０ｂの長軸の方向を光ディスク３０の回転方向に一致させた。したがって、∠ＯＡＢは直角である。長孔２０ｂが配置された位置での光ディスク３０の回転方向は計算で容易に導き出すことができる。長孔２０ｂの長軸の方向を風Ｗの方向にほぼ一致させた場合に比べ、風Ｗがややスムーズには流れないかもしれないが、長孔２０ｂの長軸の方向を容易に決定することができる。
【００７０】
なお、本実施の形態１において、光源２１の発熱する部分はレーザ素子２１ａとしたが、光源２１には、レーザ光を発生するための駆動電源（図示せず）も含む。駆動電源も熱を発生し、温度が上がることで動作が不安定になったりする。駆動電源を長孔２０ｂから風Ｗが導入されるように適切な位置に設けることで、駆動電源の温度の上昇も抑制できるので光ディスク装置１の動作を安定させることができる。
【００７１】
また、長孔２０ｂは開口部２０ａよりも風Ｗの上流側としたが、光源２１の配置によっては風Ｗが光源２１に導入しにくくなるものの、下流側としても構わない。
【産業上の利用可能性】
【００７２】
以上のように、本発明の光ディスク装置は、光ピックアップ装置の発熱源である光源の熱を十分に奪い、温度上昇を抑制して安定した動作をする薄型の光ディスク装置である。そのため、パーソナルコンピュータ、ノートブック型コンピュータ等の電子機器に搭載され、特に薄型の電子機器に好んで搭載される。
【図面の簡単な説明】
【００７３】
【図１】本実施の形態１の光ディスク装置の外観図
【図２】（ａ）本実施の形態１の光ピックアップモジュールの上面図、（ｂ）カバーを外した光ピックアップモジュールの上面図
【図３】本実施の形態１のカバーの上面図
【図４】本実施の形態１の光ピックアップ装置の外観図
【図５】図１のＸ−Ｘ断面図
【図６】本実施の形態１の長孔を多く設けたカバーの外観図
【図７】本実施の形態１の長孔の長軸の方向を光ディスクの回転方向に一致させたカバーの外観図
【図８】（ａ）従来の光ピックアップモジュールの上面図、（ｂ）カバーを除いた従来の光ピックアップモジュールの上面図
【符号の説明】
【００７４】
１    光ディスク装置
２    筐体
２ａ    上部筐体
２ｂ    下部筐体
３    トレイ
４    ベゼル
５    イジェクトスイッチ
６    レール
７    外部コネクタ
１１    光ピックアップモジュール
１２    ベース
１３    スピンドルモータ
１３ａ    ターンテーブル
１４    フィードモータ
１５    スクリューシャフト
１６、１７    ガイド軸
１８    光ピックアップ装置
１９    ラック
２０    カバー
２０ａ    開口部
２０ｂ    長孔
２０ｃ    貫通孔
２１    光源
２１ａ    レーザ素子
２１ｂ    リード
２２    対物レンズ
２３    ピックアップカバー
２４    基台
２５    結合部材
２６    対物レンズ駆動装置
３０    光ディスク
Ｗ    風
【図１】
2008097662.tif 000003
【図２】
2008097662.tif 000004
【図３】
2008097662.tif 000005
【図４】
2008097662.tif 000006
【図５】
2008097662.tif 000007
【図６】
2008097662.tif 000008
【図７】
2008097662.tif 000009
【図８】
2008097662.tif 000010